【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】
クライアントに対するコンテンツ提供処理を実行するサーバ装置であり、
サーバクライアント間に設定するコンテンツ配信コネクションの制御を実行するコネクション制御部を有し、
前記コネクション制御部は、
サーバクライアント間に設定するコンテンツ配信コネクションの識別子としてのコネクションＩＤを生成し、生成したコネクションＩＤとコネクション情報との対応データをコネクション管理テーブルに記録するとともに、クライアントに対するコネクションＩＤおよびコネクション情報の提供処理を実行する構成を有することを特徴とするサーバ装置。
【請求項２】
前記サーバ装置は、
クライアントからのコンテンツ識別子を設定したコンテンツ要求の受信に応じて、コンテンツ要求に基づくコネクション情報を生成し、コンテンツＩＤと対応付けたデータを前記コネクション管理テーブルに登録する処理を実行する構成であることを特徴とする請求項１に記載のサーバ装置。
【請求項３】
前記サーバ装置は、
コンテンツ識別子としてのコンテンツＵＲＬ（Uniform Resource Locators）によって特定可能なコンテンツを格納した記憶部を有し、
クライアントからのコンテンツＵＲＬを指定したコンテンツ要求の受信に応じて、コンテンツ要求に基づくコネクション情報を生成し、コンテンツＩＤと対応付けたデータを前記コネクション管理テーブルに登録する処理を実行する構成であることを特徴とする請求項１に記載のサーバ装置。
【請求項４】
前記コネクション情報は、配信コンテンツに対応するコンテンツ識別子を含み、
前記コネクション制御部は、
前記コネクション管理テーブルに、コネクションＩＤの対応データとして前記コンテンツ識別子を格納し、クライアントからの要求に応じて、配信コンテンツに対応するコンテンツ識別子情報をクライアントに送信する処理を実行する構成を有することを特徴とする請求項１に記載のサーバ装置。
【請求項５】
前記コネクション情報は、コンテンツ配信制御処理を実行する配信制御部の識別子である配信制御部識別子を含み、
前記コネクション制御部は、
前記コネクション管理テーブルに、コネクションＩＤの対応データとして前記配信制御部識別子を格納し、クライアントからの要求に応じて、配信実行中のコンテンツに対応する配信制御を実行する配信制御部識別子情報をクライアントに送信する処理を実行する構成を有することを特徴とする請求項１に記載のサーバ装置。
【請求項６】
前記コネクション情報は、配信コンテンツのプロトコル情報を含み、
前記コネクション制御部は、
前記コネクション管理テーブルに、コネクションＩＤの対応データとして配信コンテンツのプロトコル情報を格納し、クライアントからの要求に応じて、配信実行中のコンテンツに対応するプロトコル情報をクライアントに送信する処理を実行する構成を有することを特徴とする請求項１に記載のサーバ装置。
【請求項７】
前記プロトコル情報は、コンテンツの配信処理のための制御対象となる機器識別子としてのファンクションＩＤを含むことを特徴とする請求項６に記載のサーバ装置。
【請求項８】
前記コネクション制御部は、
前記コネクション管理テーブルに基づいて、クライアントからのコンテンツ制御要求が、他クライアントに送信中のコンテンツに対する制御要求であるか否かを判定し、他クライアントに送信中のコンテンツに対する制御要求であると判定された場合に、コンテンツ制御要求クライアントに対してコンテンツ受信クライアントの存在を通知する警告通知処理を実行する構成であることを特徴とする請求項１に記載のサーバ装置。
【請求項９】
サーバに対する配信コンテンツ制御要求を行うクライアントとしての情報処理装置であり、
前記サーバと他クライアントとの間のコネクションに関するコネクション情報を前記サーバから取得し、取得したコネクション情報に基づくコンテンツ制御要求を生成して、前記サーバに送信する処理を実行する構成を有することを特徴とする情報処理装置。
【請求項１０】
前記サーバから取得するコネクション情報は、コンテンツ識別子であり、
前記サーバに送信するコンテンツ制御要求は、コンテンツ識別子を設定したコンテンツ取得要求であることを特徴とする請求項９に記載の情報処理装置。
【請求項１１】
前記サーバから取得するコネクション情報は、コンテンツ配信制御を実行する配信制御部の識別子であり、
前記サーバに送信するコンテンツ制御要求は、前記配信制御部の識別子を設定した配信制御部に対する制御要求であることを特徴とする請求項９に記載の情報処理装置。
【請求項１２】
前記サーバから取得するコネクション情報は、コンテンツ配信コネクション識別子であるコネクションＩＤであり、
前記サーバに送信するコンテンツ制御要求は、前記コネクションＩＤを設定したコンテンツ配信終了要求であることを特徴とする請求項９に記載の情報処理装置。
【請求項１３】
クライアントに対するコンテンツ提供処理を実行するサーバ装置における情報処理方法であり、
サーバクライアント間に設定されるコンテンツ配信コネクションの制御を実行するコネクション制御ステップを有し、
前記コネクション制御ステップは、
サーバクライアント間に設定したコンテンツ配信コネクションの識別子としてのコネクションＩＤを生成するステップと、
生成したコネクションＩＤとコネクション情報とを対応付けたコネクション管理テーブルを生成するステップと、
クライアントからの要求に基づくコネクションＩＤおよびコネクション情報の提供処理を実行するステップと、
を有することを特徴とする情報処理方法。
【請求項１４】
前記情報処理方法は、さらに、
クライアントからのコンテンツ識別子を設定したコンテンツ要求の受信に応じて、コンテンツ要求に基づくコネクション情報を生成し、コンテンツＩＤと対応付けたデータを前記コネクション管理テーブルに登録する処理を実行するステップを含むことを特徴とする請求項１３に記載の情報処理方法。
【請求項１５】
前記コネクション情報は、コンテンツ識別子を含み、
前記コネクション制御ステップは、
前記コネクション管理テーブルに、コネクションＩＤの対応データとして配信コンテンツに対応するコンテンツ識別子を格納し、クライアントからの要求に応じて、配信実行中のコンテンツに対応するコンテンツ識別子情報をクライアントに送信する処理を実行するステップを含むことを特徴とする請求項１３に記載の情報処理方法。
【請求項１６】
前記コネクション情報は、コンテンツ配信制御処理を実行する配信制御部の識別子である配信制御部識別子を含み、
前記コネクション制御ステップは、
前記コネクション管理テーブルに、コネクションＩＤの対応データとして前記配信制御部識別子を格納し、クライアントからの要求に応じて、配信実行中のコンテンツに対応する配信制御を実行する配信制御部識別子情報をクライアントに送信する処理を実行するステップを含むことを特徴とする請求項１３に記載の情報処理方法。
【請求項１７】
前記コネクション情報は、配信コンテンツのプロトコル情報を含み、
前記コネクション制御ステップは、
前記コネクション管理テーブルに、コネクションＩＤの対応データとして配信コンテンツのプロトコル情報を格納し、クライアントからの要求に応じて、配信実行中のコンテンツに対応するプロトコル情報をクライアントに送信する処理を実行するステップを含むことを特徴とする請求項１３に記載の情報処理方法。
【請求項１８】
前記プロトコル情報は、コンテンツの配信処理のための制御対象となる機器識別子としてのファンクションＩＤを含むことを特徴とする請求項１７に記載の情報処理方法。
【請求項１９】
前記コネクション制御ステップは、
前記コネクション管理テーブルに基づいて、クライアントからのコンテンツ制御要求が、他クライアントに送信中のコンテンツに対する制御要求であるか否かを判定するステップと、
他クライアントに送信中のコンテンツに対する制御要求であると判定された場合に、コンテンツ制御要求クライアントに対してコンテンツ受信クライアントの存在を通知する警告通知処理を実行するステップと、
を含むことを特徴とする請求項１３に記載の情報処理方法。
【請求項２０】
サーバに対するコンテンツ制御要求を行うクライアントにおける情報処理方法であり、
前記サーバと他クライアントとの間のコネクションに関するコネクション情報を前記サーバから取得する情報取得ステップと、
前記コネクション情報に基づくコンテンツ制御要求を生成して、前記サーバに送信する処理を実行する処理要求ステップと、
を有することを特徴とする情報処理方法。
【請求項２１】
前記情報取得ステップにおける取得情報はコンテンツ識別子であり、
前記処理要求ステップにおけるコンテンツ制御要求は、コンテンツ識別子を設定したコンテンツ取得要求であることを特徴とする請求項２０に記載の情報処理方法。
【請求項２２】
前記情報取得ステップにおける取得情報はコンテンツ配信制御を実行する配信制御部の識別子であり、
前記処理要求ステップにおけるコンテンツ制御要求は前記配信制御部の識別子を設定した配信制御部に対する制御要求であることを特徴とする請求項２０に記載の情報処理方法。
【請求項２３】
前記情報取得ステップにおける取得情報は、コンテンツ配信コネクション識別子であるコネクションＩＤであり、
前記処理要求ステップにおけるコンテンツ制御要求は、前記コネクションＩＤを設定したコンテンツ配信終了要求であることを特徴とする請求項２０に記載の情報処理方法。
【請求項２４】
情報処理装置において、コンテンツ配信コネクションの制御処理を実行させるコンピュータ・プログラムであり、
コネクション制御部において、サーバクライアント間に設定されるコンテンツ配信コネクションの制御を実行させるコネクション制御ステップを有し、
前記コネクション制御ステップは、
サーバクライアント間に設定したコンテンツ配信コネクションの識別子としてのコネクションＩＤを生成させるステップと、
生成したコネクションＩＤとコネクション情報とを対応付けたコネクション管理テーブルを生成させるステップと、
クライアントからの要求に基づくコネクションＩＤおよびコネクション情報の提供処理を実行させるステップと、
を実行させるステップとして設定されていることを特徴とするコンピュータ・プログラム。
【請求項２５】
情報処理装置において、サーバに対するコンテンツ制御要求処理を実行させるコンピュータ・プログラムであり、
通信部において、前記サーバと他クライアントとの間のコネクションに関するコネクション情報を前記サーバから取得させる情報取得ステップと、
データ処理部において、前記コネクション情報に基づくコンテンツ制御要求を生成して、前記サーバに送信させる処理を実行する処理要求ステップと、
を実行させることを特徴とするコンピュータ・プログラム。
【手続補正２】
【補正対象書類名】明細書
【補正対象項目名】００４３
【補正方法】変更
【補正の内容】
【００４３】
さらに、本発明の第５の側面は、
情報処理装置において、コンテンツ配信コネクションの制御処理を実行させるコンピュータ・プログラムであり、
コネクション制御部において、サーバクライアント間に設定されるコンテンツ配信コネクションの制御を実行させるコネクション制御ステップを有し、
前記コネクション制御ステップは、
サーバクライアント間に設定したコンテンツ配信コネクションの識別子としてのコネクションＩＤを生成させるステップと、
生成したコネクションＩＤとコネクション情報とを対応付けたコネクション管理テーブルを生成させるステップと、
クライアントからの要求に基づくコネクションＩＤおよびコネクション情報の提供処理を実行させるステップと、
を実行させるステップとして設定されていることを特徴とするコンピュータ・プログラムにある。
【手続補正３】
【補正対象書類名】明細書
【補正対象項目名】００４４
【補正方法】変更
【補正の内容】
【００４４】
さらに、本発明の第６の側面は、
情報処理装置において、サーバに対するコンテンツ制御要求処理を実行させるコンピュータ・プログラムであり、
通信部において、前記サーバと他クライアントとの間のコネクションに関するコネクション情報を前記サーバから取得させる情報取得ステップと、
データ処理部において、前記コネクション情報に基づくコンテンツ制御要求を生成して、前記サーバに送信させる処理を実行する処理要求ステップと、
を実行させることを特徴とするコンピュータ・プログラムにある。